(57)【特許請求の範囲】
【請求項１】
ラベルプリンタで使用されるラベル印刷データを前記ラベルプリンタから取得するラベル印刷データ取得処理工程と、
前記ラベル印刷データ取得工程で前記ラベルプリンタから取得したラベル印刷データを、携帯型情報処理装置で編集可能な形式に変換して、前記携帯型情報処理装置での編集を受けるラベル印刷データ編集処理工程と、
前記ラベル印刷データ編集処理工程で編集されたラベル印刷データを、前記ラベルプリンタで印刷及び編集可能な形式に変換して前記ラベルプリンタに出力し、ラベル印刷データを更新するラベル印刷データ更新処理工程が実行され、
ラベル印刷データの編集の可否が設定され、編集が可能と設定されたラベル印刷データを前記ラベル印刷データ取得処理工程で取得すると、ラベル印刷データの編集の操作を受け付け、編集が不可と設定されたラベル印刷データを前記ラベル印刷データ取得処理工程で取得すると、ラベル印刷データを使用したラベル発行の操作を受け付ける
ことを特徴とするラベル発行アプリケーション。
【請求項２】
ラベルプリンタで使用されるラベル印刷データを前記ラベルプリンタから取得するラベル印刷データ取得処理工程と、
前記ラベル印刷データ取得工程で前記ラベルプリンタから取得したラベル印刷データを、携帯型情報処理装置で編集可能な形式に変換して、前記携帯型情報処理装置での編集を受けるラベル印刷データ編集処理工程と、
前記ラベル印刷データ編集処理工程で編集されたラベル印刷データを、前記ラベルプリンタで印刷及び編集可能な形式に変換して前記ラベルプリンタに出力し、ラベル印刷データを更新するラベル印刷データ更新処理工程が実行され、
前記ラベル印刷データ更新処理工程で前記ラベルプリンタに出力された編集後のラベル印刷データに基づく描画データを前記ラベルプリンタから取得して出力する
ことを特徴とするラベル発行アプリケーション。
【請求項３】
ラベル印刷データの編集の可否が設定され、編集が可能と設定されたラベル印刷データを前記ラベル印刷データ取得処理工程で取得すると、ラベル印刷データの編集の操作を受け付け、編集が不可と設定されたラベル印刷データを前記ラベル印刷データ取得処理工程で取得すると、ラベル印刷データを使用したラベル発行の操作を受け付ける
ことを特徴とする請求項２に記載のラベル発行アプリケーション。
【請求項４】
ラベルが貼り付けられる物品に関連する情報を含む物品情報から、物品に含まれる特定成分の成分名と、物品中の当該特定成分の量が対応づけられた特定成分情報を取得し、
前記ラベル印刷データ取得処理工程で前記ラベルプリンタから取得したラベル印刷データを、特定成分情報を使用して編集する
ことを特徴とする請求項１〜請求項３のいずれか１項に記載のラベル発行アプリケーション。
【請求項５】
操作を受ける入力手段と、
操作画面が表示される表示手段と、
請求項１〜請求項４の何れか１項に記載のラベル発行アプリケーションを実行する制御手段を備え、
前記制御手段は、ラベルプリンタで使用されるラベル印刷データを前記ラベルプリンタから取得し、ラベル印刷データに基づく編集操作画面を前記表示手段に表示し、前記ラベルプリンタから取得したラベル印刷データを、前記入力部の操作で編集し、編集されたラベル印刷データを、前記ラベルプリンタに出力し、ラベル印刷データを更新する
ことを特徴とする携帯型情報処理装置。
【請求項６】
ラベルが貼り付けられる物品に関連する情報として、物品に含まれる特定成分の成分名と、物品中の当該特定成分の量が対応づけられた特定成分情報を含む物品情報を記憶した記憶手段を備え、
前記制御手段は、物品に含まれる特定成分の成分名と、物品中の当該特定成分の量が対応づけられた特定成分情報を前記記憶手段から取得し、前記ラベルプリンタから取得したラベル印刷データを、特定成分情報を使用して編集する
ことを特徴とする請求項５に記載の携帯型情報処理装置。
【請求項７】
請求項１〜請求項４の何れか１項に記載のラベル発行アプリケーションで編集されたラベル印刷データを記憶する記憶手段と、
前記記憶手段に記憶されたラベル印刷データでラベルを印刷する印刷手段と
を備えたことを特徴とするラベルプリンタ。
【発明の詳細な説明】
【技術分野】
【０００１】
本発明は、ラベルプリンタで使用されるラベル印刷データを携帯型情報処理装置で編集可能としたラベル発行アプリケーション、ラベル発行アプリケーションが実行される携帯型情報処理装置、及び、ラベル発行アプリケーションで編集されたラベル印刷データが印刷されるラベルプリンタに関する。
【背景技術】
【０００２】
パーソナルコンピュータ等の情報処理装置で作成した原料表示ラベル等の印刷データファイルをラベルプリンタに転送、保存し、情報処理装置が無くてもラベルの印刷や編集を可能としたラベルプリンタが知られている。このようなラベルプリンタでは、情報処理装置のアプリケーションで作成した印刷レイアウトをＵＳＢ等の通信ポートを介して直接印刷できる他、プリンタ本体で編集、印刷できる形式に変換して、ＵＳＢメモリやプリンタ内蔵メモリに書き出し、プリンタ本体のみで編集、印刷をすることができる（例えば、特許文献１，２参照）。
【０００３】
従来、印刷内容を変更するときは、ラベルプリンタが有するユーザインターフェースを使用するか、ラベル印刷データを作成した情報処理装置で記憶しているラベル印刷データを再編集し、ラベルプリンタに転送する必要があった。
【先行技術文献】
【特許文献】
【０００４】
【特許文献１】特開２００５−２３８５２４号公報
【特許文献２】特開２０１０−０５２２９８号公報
【発明の概要】
【発明が解決しようとする課題】
【０００５】
一般に、期限管理が必要な物品に貼り付けられるラベルを発行するラベルプリンタは、貼り付け対象が置かれる店舗や製造現場等に設置され、運用されることが多い。一方で、ラベル印刷データは、パーソナルコンピュータ等の情報処理装置で作成、編集されることがほとんどで、このような情報処理装置は、店舗や製造現場から離れた場所に設置されている場合が多い。
【０００６】
このため、例えば、内容量の異なる物品を新たに加えるため等により、ラベルの内容を変更しようとすると、ラベルプリンタを情報処理装置の設置場所まで移動して、情報処理装置で編集したラベル印刷データをラベルプリンタに転送するか、外部メモリを使用して転送する必要があった。この場合、手間が掛かるとともに、ラベルの発行作業を停止する必要があった。
【０００７】
また、ラベルプリンタの設置場所に合わせて複数の情報処理装置を設置して、各ラベルプリンタの設置場所で編集を行えるようにすると、ラベル印刷データが複数の情報処理装置に分散し、ラベル印刷データの一元管理が困難になる。
【０００８】
本発明は、このような課題を解決するためなされたもので、ラベルプリンタで使用されるラベル印刷データを携帯型情報処理装置で編集可能としたラベル発行アプリケーション、ラベル発行アプリケーションが実行される携帯型情報処理装置、及び、ラベル発行アプリケーションで編集されたラベル印刷データが印刷されるラベルプリンタを提供することを目的とする。
【課題を解決するための手段】
【０００９】
上述した課題を解決するため、本発明は、ラベルプリンタで使用されるラベル印刷データを前記ラベルプリンタから取得するラベル印刷データ取得処理工程と、ラベル印刷データ取得工程でラベルプリンタから取得したラベル印刷データを、携帯型情報処理装置で編集可能な形式に変換して、携帯型情報処理装置での編集を受けるラベル印刷データ編集処理工程と、ラベル印刷データ編集処理工程で編集されたラベル印刷データを、ラベルプリンタで印刷及び編集可能な形式に変換してラベルプリンタに出力し、ラベル印刷データを更新するラベル印刷データ更新処理工程が実行され、ラベル印刷データの編集の可否が設定され、編集が可能と設定されたラベル印刷データをラベル印刷データ取得処理工程で取得すると、ラベル印刷データの編集の操作を受け付け、編集が不可と設定されたラベル印刷データをラベル印刷データ取得処理工程で取得すると、ラベル印刷データを使用したラベル発行の操作を受け付けるラベル発行アプリケーションである。
また、本発明は、ラベルプリンタで使用されるラベル印刷データをラベルプリンタから取得するラベル印刷データ取得処理工程と、ラベル印刷データ取得工程でラベルプリンタから取得したラベル印刷データを、携帯型情報処理装置で編集可能な形式に変換して、携帯型情報処理装置での編集を受けるラベル印刷データ編集処理工程と、ラベル印刷データ編集処理工程で編集されたラベル印刷データを、ラベルプリンタで印刷及び編集可能な形式に変換してラベルプリンタに出力し、ラベル印刷データを更新するラベル印刷データ更新処理工程が実行され、ラベル印刷データ更新処理工程でラベルプリンタに出力された編集後のラベル印刷データに基づく描画データをラベルプリンタから取得して出力するラベル発行アプリケーションである。
【００１０】
また、本発明は、操作を受ける入力手段と、操作画面が表示される表示手段と、上述したラベル発行アプリケーションを実行する制御手段を備え、制御手段は、ラベルプリンタで使用されるラベル印刷データをラベルプリンタから取得し、ラベル印刷データに基づく編集操作画面を表示手段に表示し、ラベルプリンタから取得したラベル印刷データを、入力部の操作で編集し、編集されたラベル印刷データを、ラベルプリンタに出力し、ラベル印刷データを更新する携帯型情報処理装置である。
【００１１】
更に、本発明は、上述したラベル発行アプリケーションで編集されたラベル印刷データを記憶する記憶手段と、記憶手段に記憶されたラベル印刷データでラベルを印刷する印刷手段とを備えたラベルプリンタである。
【発明の効果】
【００１２】
本発明では、ラベルプリンタあるいはラベルプリンタに接続された外部記憶手段に記憶されたラベル印刷データを、携帯型情報処理装置で取得して編集し、更新することができる。これにより、ラベルプリンタの設置場所で、ラベル印刷データの編集が容易に行える。また、ラベル印刷データを携帯型情報処理装置で記憶、保存する必要がなく、データの一元管理が可能である。
【図面の簡単な説明】
【００１３】
【図１】本実施の形態のラベル発行アプリケーションの機能構成例を示す機能ブロック図である。
【図２】本実施の形態のラベル発行アプリケーションでラベルを編集して発行するラベル作成・発行システムの一例を示す構成図である。
【図３】本実施の形態の携帯型情報処理装置の一例を示す機能構成図である。
【図４】携帯型情報処理装置で表示される操作画面の一例を示す説明図である。
【図５】本実施の形態のラベルプリンタの一例を示す構成図である。
【図６】本実施の形態のラベル印刷データの編集処理の一例を示す動作説明図である。
【図７】携帯型情報処理装置で編集される期限ラベルの一例を示す説明図である。
【図８】携帯型情報処理装置で編集される特定成分表示ラベルの一例を示す説明図である。
【図９】商品マスタの一例を示す説明図である。
【図１０】ファイルリスト要求操作画面の一例を示す説明図である。
【図１１】栄養成分編集画面の一例を示す説明図である。
【発明を実施するための形態】
【００１４】
以下、図面を参照して、本発明のラベル発行アプリケーション、ラベル発行アプリケーションが実行される携帯型情報処理装置、及び、ラベル発行アプリケーションで作成されたラベルが印刷されるラベルプリンタの実施の形態について説明する。
【００１５】
＜本実施の形態のラベル発行アプリケーションの機能構成例＞
図１は、本実施の形態のラベル発行アプリケーションの機能構成例を示す機能ブロック図、図２は、本実施の形態のラベル発行アプリケーションでラベルを編集して発行するラベル作成・発行システムの一例を示す構成図である。
【００１６】
本実施の形態のラベル発行アプリケーションＡ１は、図２に示すラベル作成・発行システム１００を構成するタブレット端末等の携帯型情報処理装置Ｔｂにインストールされる。携帯型情報処理装置Ｔｂは、ラベル発行アプリケーションＡ１を実行することで、ラベルプリンタＬＰからラベル印刷データＤを取得し、編集処理を行ってラベル印刷データＤを更新し、ラベルプリンタＬＰで、更新されたラベル印刷データＤを使用してラベルＬの発行を可能とする。
【００１７】
ラベル印刷データＤは、パーソナルコンピュータ等の情報処理装置ＰＣでラベル作成アプリケーションを実行することで作成される。情報処理装置ＰＣで作成されたラベル印刷データＤは、ラベルプリンタＬＰで使用可能な形式に変換され、ＵＳＢメモリ等の外部メモリＭｅに記憶される。
【００１８】
外部メモリＭｅに記憶されたラベル印刷データＤは、ラベルプリンタＬＰにダウンロードされる。ラベルプリンタＬＰでは、ラベル印刷データＤを使用してラベルＬを印刷して発行する。なお、情報処理装置ＰＣからラベルプリンタＬＰへのラベル印刷データＤの送信は、イーサネット（登録商標）、無線ＬＡＮ、ＵＳＢ等の通信手段を使用しても良い。
【００１９】
本実施の形態のラベル発行アプリケーションＡ１は、図１に示すラベル印刷データ取得処理Ａ２、ラベル印刷データ編集処理Ａ３及びラベル印刷データ更新処理Ａ４が実行され、ラベルプリンタＬＰからラベル印刷データＤを取得し、取得したラベル印刷データＤの編集及び更新を行う。
【００２０】
ラベル印刷データ取得処理Ａ２では、ラベルプリンタＬＰに記憶されたラベル印刷データＤ、あるいは、ラベルプリンタＬＰに接続された外部メモリＭｅに記憶されたラベル印刷データＤを取得する要求をラベルプリンタＬＰに出力し、ラベルプリンタＬＰからラベル印刷データＤを取得する。
【００２１】
ラベル印刷データ編集処理Ａ３では、ラベル印刷データ取得処理Ａ２でラベルプリンタＬＰから取得したラベル印刷データＤを、携帯型情報処理装置Ｔｂで編集可能な形式に変換して、携帯型情報処理装置Ｔｂでの編集を受ける。
【００２２】
ラベル印刷データ更新処理Ａ４では、ラベル印刷データ編集処理Ａ３で編集されたラベル印刷データＤを、ラベルプリンタＬＰで印刷及び編集可能な形式に変換してラベルプリンタＬＰに出力する。そして、ラベルプリンタＬＰに記憶されたラベル印刷データＤ、あるいは、ラベルプリンタＬＰに接続された外部メモリＭｅに記憶されたラベル印刷データＤを更新させる。
【００２３】
＜本実施の形態の携帯型情報処理装置の構成例＞
図３は、本実施の形態の携帯型情報処理装置の一例を示す機能構成図であり、次に、各図を参照して、上述した本実施の形態のラベル発行アプリケーションＡ１が実行される携帯型情報処理装置Ｔｂの構成、及び、携帯型情報処理装置Ｔｂで実行される処理について説明する。
【００２４】
携帯型情報処理装置Ｔｂは、図１に示すラベル発行アプリケーションＡ１が実行される制御部１０を備える。ラベル発行アプリケーションＡ１は、例えば、図示しないサーバからインターネットを経由して提供される。携帯型情報処理装置Ｔｂは、ラベルプリンタＬＰを含む外部装置、インターネット等と接続される通信部１１と、ラベル発行アプリケーションＡ１及びラベル印刷データＤ等が記憶される記憶部１２を備える。
【００２５】
また、携帯型情報処理装置Ｔｂは、ラベル印刷データＤを編集する操作等を受ける入力部１３と、ラベル印刷データＤを編集する操作画面が表示される表示部１４を備える。
【００２６】
制御部１０は制御手段の一例で、ＣＰＵ、ＭＰＵと称されるマイクロプロセッサを備える。制御部１０は、図１に示すラベル発行アプリケーションＡ１で、ラベル印刷データ取得処理Ａ２、ラベル印刷データ編集処理Ａ３及びラベル印刷データ更新処理Ａ４を実行する。
【００２７】
通信部１１は通信手段の一例で、無線ＬＡＮ等の無線による通信装置、有線による通信装置で構成される。記憶部１２は記憶手段の一例で、ＲＡＭ、フラッシュメモリ等の記憶装置で構成される。
【００２８】
入力部１３は入力手段の一例、表示部１４は表示手段の一例で、タッチパネル式のディスプレイ等で構成される。
【００２９】
図４は、携帯型情報処理装置で表示される操作画面の一例を示す説明図である。制御部１０は、ラベル発行アプリケーションＡ１を実行することで、図４に示す処理選択操作画面Ｇｕ１を表示部１４に表示する。
【００３０】
処理選択操作画面Ｇｕ１では、ラベルプリンタＬＰでのラベルの発行操作を実行させる発行ボタン２０と、ラベルプリンタＬＰからラベル印刷データＤを取得して、編集操作を行う編集ボタン２１が表示される。また、処理選択操作画面Ｇｕ１では、後述する特定成分表示ラベルＬａを印刷する特定成分表示ラベル印刷データＤＬをラベルプリンタＬＰから取得して、編集操作を行う栄養成分編集ボタン２２が表示される。
【００３１】
更に、処理選択操作画面Ｇｕ１では、各種データのコピーを行うコピーボタン２３と、各種設定を行う設定ボタン２４が表示される。制御部１０は、処理選択操作画面Ｇｕ１で選択されたボタンに応じた処理を実行する。
【００３２】
＜本実施の形態のラベルプリンタの構成例＞
図５は、本実施の形態のラベルプリンタの一例を示す構成図であり、次に、各図を参照して、ラベル印刷データＤを使用してラベルＬを印刷、発行するラベルプリンタＬＰについて説明する。
【００３３】
ラベルプリンタＬＰは、図５に示すように、長尺状の台紙がロール状に巻かれた形態で提供されるラベルＬｂが装填される。ラベルプリンタＬＰは、ラベルＬｂに印刷を行う印刷ヘッド５０と、印刷ヘッド５０に対向して設けられ、ラベルＬｂを搬送するプラテンローラ５１と、プラテンローラ５１を駆動する搬送モータ５１Ｍを備える。また、ラベルプリンタＬＰは、ラベルの有無、及び、ラベルの先端位置等を検知するラベルセンサ５２を備える。
【００３４】
ラベルプリンタＬＰは、ラベル印刷データＤを使用してラベルＬを印刷、発行する制御部を備える。図２に示す情報処理装置ＰＣで作成されるラベル印刷データＤは、本例では外部メモリＭｅであるＵＳＢメモリで提供される。このため、ラベルプリンタＬＰは、外部メモリＭｅからラベル印刷データＤを取得する読取部と、ラベル印刷データＤ等が記憶される記憶部を備える。
【００３５】
また、ラベルプリンタＬＰは、ラベルＬを発行する操作を受ける入力部と、ラベルＬを発行する操作画面が表示される表示部を備える。更に、ラベルプリンタＬＰは、情報処理装置ＰＣ、携帯型情報処理装置Ｔｂを含む外部装置と接続される通信部を備える。
【００３６】
制御部は、ＣＰＵ、ＭＰＵと称されるマイクロプロセッサ等を備える。読取部は、ＵＳＢメモリに対してデータの読み取り及び書き出しを行うＵＳＢホストインターフェースで構成される。記憶部は記憶手段の一例で、ＲＡＭ、フラッシュメモリ等の記憶装置で構成される。
【００３７】
入力部は、キーボード等の入力装置で構成される。表示部は、液晶ディスプレイ等の表示装置で構成される。通信部は、イーサネット（登録商標）モジュール、ＵＳＢ等の有線による通信装置、無線ＬＡＮ等の無線による通信装置で構成される。
【００３８】
ラベルプリンタＬＰでは、各種ラベルＬを印刷するため、ラベル印刷データＤが記憶部、あるいは、読取部に接続された外部メモリＭｅに記憶される。ラベル印刷データＤは、ラベルＬに印刷される各項目の配置が特定されるレイアウト情報と、各項目の値が特定されるデータファイルを備える。また、食品毎等複数種類のラベルの中から所望のラベルを発行するため、ラベル印刷データＤを例えば物品毎に識別するファイルリストを備える。
【００３９】
ラベルプリンタＬＰの制御部は、入力部の操作でファイルリストを表示部に表示し、ファイルリストで選択された物品に対応したラベル印刷データＤを取得する。制御部は、ラベル印刷データＤから取得したレイアウト情報とデータファイルに基づき、印刷ヘッド５０及び搬送モータ５１Ｍを制御して、ラベル印刷データＤに基づくラベルＬを印刷して発行する。
【００４０】
＜本実施の形態のラベル印刷データ編集処理例＞
図６は、本実施の形態のラベル印刷データの編集処理の一例を示す動作説明図で、次に、各図を参照して、携帯型情報処理装置Ｔｂでラベル発行アプリケーションＡ１を実行することにより、ラベル印刷データＤを編集する動作について説明する。
【００４１】
図７は、携帯型情報処理装置でラベル印刷データが編集されるラベルの一例を示す説明図である。図７では、ラベルＬの一例として期限ラベルＬｔを示す。期限ラベルＬｔでは、商品名情報Ｌ１０、原材料情報Ｌ１１、保存方法等の使用情報Ｌ１２、製造者情報Ｌ１３、及び、期限情報Ｌ１４が表示される。印刷するラベル印刷データＤは、個々のラベル印刷情報であるデータファイルの集合として記憶されている。各データファイルは、ファイル名、ラベルサイズ情報、ビットマップ画像情報、ラベルに表示する内容を編集可能に記憶しておくための各種オブジェクト情報から構成されている。オブジェクト情報には、文字列を表示するためのテキストオブジェクト、日付及び時刻を表示するための時計オブジェクト等があり、それぞれオブジェクト種別情報、オブジェクトＩＤ、ラベル内での位置情報、サイズ情報、文字情報、編集可否情報、各種オブジェクト固有の設定情報等が含まれる。
【００４２】
期限ラベルＬｔを印刷するラベル印刷データＤでは、商品名情報Ｌ１０、原材料情報Ｌ１１、保存方法等の使用情報Ｌ１２及び製造者情報Ｌ１３は、項目名及び項目の値が入力されると共に、項目の配置が決められる。これに対し、期限情報Ｌ１４は、ラベルプリンタＬＰの内蔵時計から取得した日時情報に基づき算出した値が使用される。
【００４３】
携帯型情報処理装置Ｔｂでは、図１に示すラベル発行アプリケーションＡ１が実行され、図４に示す処理選択操作画面Ｇｕ１で編集ボタン２１が操作されると、制御部１０は、ラベル印刷データ取得処理Ａ２で、ラベルプリンタＬＰに対しファイルリストＤ１の取得要求Ｃ１を出力する。
【００４４】
ラベルプリンタＬＰの制御部は、ファイルリストＤ１の取得要求Ｃ１を受けると、内部メモリである記憶部、あるいはＵＳＢメモリ等の外部メモリＭｅに記憶されたファイルリストＤ１を読み出し、通信部で携帯型情報処理装置Ｔｂに出力する。
【００４５】
携帯型情報処理装置Ｔｂの制御部１０は、ファイルリストＤ１を取得すると、表示部１４にファイルリストＤ１を表示し、編集対象のラベル印刷データＤを、物品名を選択する等の操作で選択させる。
【００４６】
制御部１０は、ファイルリストＤ１で選択されたラベル印刷データＤについて、ラベル印刷データ取得処理Ａ２で、ラベルプリンタＬＰに対しレイアウト情報Ｄ２の取得要求Ｃ２を出力する。レイアウト情報Ｄ２は、選択されたデータファイルの編集可否情報、オブジェクト種別情報、及び、オブジェクト個別の編集可否情報を抽出して構成される。
【００４７】
ラベルプリンタＬＰの制御部は、レイアウト情報Ｄ２の取得要求Ｃ２を受けると、内部メモリである記憶部、あるいはＵＳＢメモリ等の外部メモリＭｅに記憶されたラベル印刷データＤからレイアウト情報Ｄ２を読み出し、通信部で携帯型情報処理装置Ｔｂに出力する。
【００４８】
また、携帯型情報処理装置Ｔｂの制御部１０は、ファイルリストＤ１で選択されたラベル印刷データＤについて、ラベル印刷データ取得処理Ａ２で、ラベルプリンタＬＰに対しデータファイルＤ３ａの取得要求Ｃ３を出力する。
【００４９】
ラベルプリンタＬＰの制御部は、データファイルＤ３ａの取得要求Ｃ３を受けると、内部メモリである記憶部、あるいはＵＳＢメモリ等の外部メモリＭｅに記憶されたラベル印刷データＤからデータファイルＤ３ａを読み出し、通信部で携帯型情報処理装置Ｔｂに出力する。
【００５０】
携帯型情報処理装置Ｔｂの制御部１０は、ラベル印刷データ編集処理Ａ３で、ラベル印刷データＤのレイアウト情報Ｄ２及びデータファイルＤ３ａに基づき、期限ラベルＬｔであれば図７に示す期限ラベルＬｔに合わせた編集操作画面を表示部１４に表示する。編集操作画面では、商品名情報Ｌ１０、原材料情報Ｌ１１、保存方法等の使用情報Ｌ１２及び製造者情報Ｌ１３は、項目名及び項目の値と、項目の配置の編集が可能である。また、期限情報Ｌ１４は、項目名と、時計に加算する情報等の時刻情報と、項目の配置の編集が可能である。
【００５１】
携帯型情報処理装置Ｔｂの制御部１０は、ラベル印刷データ更新処理Ａ４で、ラベルプリンタＬＰに対し、編集されデータファイルＤ３ｂによりラベル印刷データＤを更新する更新要求Ｃ４を出力し、更新されたデータファイルＤ３ｂをラベルプリンタＬＰに出力する。
【００５２】
ラベルプリンタＬＰの制御部は、ラベル印刷データＤの更新要求Ｃ４を受けると、記憶部あるいは外部メモリＭｅに記憶されたラベル印刷データＤを、携帯型情報処理装置Ｔｂから要求されたデータファイルＤ３ｂで更新する。
【００５３】
以上の処理で、ラベルプリンタＬＰの記憶部あるいは外部メモリＭｅに記憶されたラベル印刷データＤを、携帯型情報処理装置Ｔｂで取得して編集し、更新することができる。従来、ラベル印刷データを編集するには、ラベル印刷データを作成した情報処理装置ＰＣで記憶しているラベル印刷データを編集し、ラベルプリンタＬＰに外部メモリＭｅ等を利用して転送する必要があった。これに対し、本実施の形態では、ラベルプリンタＬＰの記憶部あるいは外部メモリＭｅに記憶されたラベル印刷データＤを、情報処理装置ＰＣを使用することなく更新可能であり、作業が容易である。また、ラベル印刷データＤを携帯型情報処理装置Ｔｂで記憶、保存する必要がなく、データの一元管理が可能である。
【００５４】
ラベル印刷データＤの作成時に、編集の可否が設定される。携帯型情報処理装置Ｔｂでは、編集が可能と設定されたラベル印刷データＤをラベル印刷データ取得処理Ａ２で取得すると、上述したラベル印刷データＤの編集の操作を受け付ける。これに対し、編集が不可と設定されたラベル印刷データＤをラベル印刷データ取得処理Ａ２で取得すると、ラベル印刷データＤを使用したラベル発行の操作を受け付ける。
【００５５】
また、ラベル発行メニューにおいても、上述した編集例で説明した図６と同様のデータ処理が行われる。このとき、レイアウト情報で編集が不可と設定されたデータファイルは取得しない。更に、図４に示す処理選択操作画面Ｇｕ１で、例えば、発行ボタン２０のみ表示する等して、発行の操作のみが行えるようにしても良い。これにより、携帯型情報処理装置Ｔｂからの発行命令だけでラベルＬを印刷でき、発行処理時間を短縮できる。
【００５６】
また、ラベル印刷データ更新処理Ａ４でラベルプリンタに出力された編集後のラベル印刷データＤを、ラベルプリンタＬＰでビットマップに展開して描画データを作成し、この描画データを携帯型情報処理装置Ｔｂで取得して、表示部１４で表示しても良い。これにより、ラベルプリンタＬＰでの印刷イメージが携帯型情報処理装置Ｔｂで確認でき、編集画面上でのプレビュー表示と、実際に印刷されたラベルの表示が大きく異なるという事象を防ぐことができる。
【００５７】
図８は、携帯型情報処理装置でラベル印刷データが編集されるラベルの他の例を示す説明図である。図８では、ラベルＬの他の例として特定成分表示ラベルＬａを示す。特定成分表示ラベルＬａでは、法令で表示が義務付けられた特定成分の成分名Ｌ２０と、各特定成分の量Ｌ２１が表示される。
【００５８】
図８に示す特定成分表示ラベルＬａが貼着される物品としては、食品が想定される。食品に貼着される特定成分表示ラベルＬａでは、法令で表示が義務付けられ、かつ、表示順が決められた特定成分として、エネルギー（熱量）、たんぱく質、脂質、炭水化物、食塩相当量の５項目と、各特定成分の量が、所定の順番で印刷されて表示される。
【００５９】
特定成分表示ラベルＬａを印刷する特定成分表示ラベル印刷データＤＬは、図２に示す情報処理装置ＰＣで作成される。情報処理装置ＰＣでは、特定成分表示ラベルＬａに印刷される各特定成分の成分名と量を、物品毎に対応付けた商品マスタＤｍ２が作成、記憶される。
【００６０】
図９は、商品マスタの一例を示す説明図である。商品マスタＤｍ２は、情報処理装置ＰＣで操作可能な所定のファイル形式で作成されていれば良く、例えば、表計算ソフトで作成が可能である。
【００６１】
商品マスタＤｍ２は、食品名、商品名、表示が義務付けられた特定成分である栄養成分の量が入力される。例えば、表計算ソフトで作成される表の１行目に、入力すべき項目として、食品名、商品名のタイトル、表示が義務付けられた複数の特定成分名として各栄養成分名が入力され、２行目以降に各項目に対応した具体的な値が入力される。
【００６２】
携帯型情報処理装置Ｔｂは、商品マスタＤｍ２を情報処理装置ＰＣから取得し、記憶部１２に記憶する。そして、ラベル発行アプリケーションＡ１で商品マスタＤｍ２を使用して、特定成分表示ラベル印刷データＤＬの編集が実行される。
【００６３】
次に、携帯型情報処理装置Ｔｂでラベル発行アプリケーションＡ１を実行することにより、特定成分表示ラベル印刷データＤＬを編集する動作について説明する。携帯型情報処理装置Ｔｂでは、図１に示すラベル発行アプリケーションＡ１が実行され、図４に示す処理選択操作画面Ｇｕ１で栄養成分編集ボタン２２が操作されると、制御部１０は、表示部１４に、ファイルリスト要求操作画面を表示する。
【００６４】
図１０は、ファイルリスト要求操作画面の一例を示す説明図である。ファイルリスト要求操作画面Ｇｕ２は、ラベルプリンタＬＰの記憶部からファイルリストを取得するか、外部メモリＭｅからファイルリストを取得するかを選択させるデータ取得先選択操作ボタン３０と、データ取得先選択操作ボタン３０で選択された選択場所名３１ａが表示されると共に、リストの中から所望のファイルを選択させるファイルリスト選択操作画面Ｄ３１が表示される。
【００６５】
制御部１０は、ファイルリスト要求操作画面Ｇｕ２で選択されたファイルから、編集対象のラベル印刷データＤとして、特定成分表示ラベル印刷データＤＬを選択すると、表示部１４に、栄養成分編集画面を表示する。
【００６６】
図１１は、栄養成分編集画面の一例を示す説明図である。栄養成分編集画面Ｇｕ３は、商品マスタＤｍ２から編集対象の商品を選択させる商品選択操作画面４０と、各特定成分の量の単位を選択させる量単位選択操作画面４１と、量単位の演算結果を表示する成分量確認画面４２が表示される。
【００６７】
商品選択操作画面４０は、特定成分表示ラベルＬａを編集する商品を選択させる商品名選択項目４０ａが表示される。商品名選択項目４０ａは、図９に示す商品マスタＤｍ２に登録された商品名が表示され、商品名選択項目４０ａの中から該当する商品名が選択される。
【００６８】
量単位選択操作画面４１は、特定成分表示ラベルＬａに表示される各特定成分の量の単位を選択させる単位重さ選択項目４１ａ及び単位選択項目４１ｂが表示される。単位重さ選択項目４１ａにチェックが入れられると、図９に示す商品マスタＤｍ２に登録された特定成分の１００ｇあたりの量が選択される。
【００６９】
単位選択項目４１ｂにチェックが入れられると、重さ設定項目４１ｃと表示単位選択項目４１ｄでの選択が可能となる。重さ設定項目４１ｃでは、特定成分の量を表示する単位を、任意の重さ、例えば１ｇ単位で入力可能である。表示単位選択項目４１ｄでは、予め設定された表示単位の中から、所望の表示単位が選択可能である。
【００７０】
制御部１０は、栄養成分編集画面Ｇｕ３の商品選択操作画面４０で商品選択操作処理により商品名等を選択する操作が行われると、特定成分情報取得処理を実行し、図９に示す商品マスタＤｍ２から、商品選択操作処理で選択された商品名に該当する特定成分情報Ｄ２０を取得する処理を実行する。
【００７１】
また、制御部１０は、量単位選択操作画面４１で特定成分の量を表示する単位を選択する操作が行われると、量単位演算処理を実行し、特定成分情報Ｄ２０で特定される特定成分の量を、量単位選択操作で選択された単位に換算する演算処理を実行する。商品マスタＤｍ２には、商品１００ｇあたりの成分量が記憶されているので、例えば、商品重量が２０ｇに設定されている場合、商品マスタＤｍ２に記憶されている値を２倍にする。
【００７２】
制御部１０は、量単位選択操作画面４１で量単位を選択する操作が行われると、成分量確認画面４２に演算結果を表示する。
【００７３】
制御部１０は、栄養成分編集画面Ｇｕ３で特定成分表示ラベル印刷データＤＬの編集が終了すると、所定の操作を受けて、ラベルプリンタＬＰに対し、編集された特定成分表示ラベル印刷データＤＬによりラベル印刷データＤを更新する更新要求を出力し、更新された特定成分表示ラベル印刷データＤＬをラベルプリンタＬＰに出力する。
【００７４】
ラベルプリンタＬＰの制御部は、ラベル印刷データＤの更新要求を受けると、記憶部あるいは外部メモリＭｅに記憶された特定成分表示ラベル印刷データＤＬを、携帯型情報処理装置Ｔｂから要求された特定成分表示ラベル印刷データＤＬで更新する。
【００７５】
携帯型情報処理装置Ｔｂで特定成分表示ラベル印刷データＤＬの編集が行われた場合、成分量が推定値であることを表示するか否かの選択項目が、「表示する」に切り替わり、成分量が推定値であることを示す文言が印刷されるようにしても良い。なお、この表示の有無の切換は、選択可能としても良い。
【００７６】
以上の処理で、携帯型情報処理装置Ｔｂで特定成分表示ラベル印刷データＤＬの編集を行うことが可能である。また、情報処理装置ＰＣで特定成分表示ラベル印刷データＤＬを作成する際に使用した商品マスタＤｍ２を携帯型情報処理装置Ｔｂで取得することで、特定成分表示ラベル編集時に特定成分の成分名と量を入力する必要がない。これにより、ラベル作成の手間が低減されると共に、入力ミスによる誤発行が発生しない。
【００７７】
また、特定成分を表示する単位を、所定の重さ単位、一商品単位等、予め決められた単位の中から選択して、特定成分表示ラベル印刷データの作成が可能であり、単位を変更する際に、人手による換算の必要はない。
【産業上の利用可能性】
【００７８】
本発明は、通信機能を有したラベルプリンタにおいて、ラベル印刷データの編集を携帯型の端末装置で行えるようにした装置に適用される。
【符号の説明】
【００７９】
Ａ１・・・ラベル発行アプリケーション、Ａ２・・・ラベル印刷データ取得処理、Ａ３・・・ラベル印刷データ編集処理、Ａ４・・・ラベル印刷データ更新処理、Ｔｂ・・・携帯型情報処理装置、１０・・・制御部、１１・・・通信部、１２・・・記憶部、１３・・・入力部、１４・・・表示部、ＰＣ・・・情報処理装置、ＬＰ・・・ラベルプリンタ
【図１】
0006398714.tif 000002
【図２】
0006398714.tif 000003
【図３】
0006398714.tif 000004
【図４】
0006398714.tif 000005
【図５】
0006398714.tif 000006
【図６】
0006398714.tif 000007
【図７】
0006398714.tif 000008
【図８】
0006398714.tif 000009
【図９】
0006398714.tif 000010
【図１０】
0006398714.tif 000011
【図１１】
0006398714.tif 000012
【図１２】
0006398714.tif 000013